(57)【特許請求の範囲】
【請求項１】
外部から供給された電圧に基づき電源電圧を生成する電源回路であって、
前記電圧を受電する第１及び第２の受電部と、
前記第１の受電部と前記第２の受電部との間に接続されたバリスタと、
前記第１の受電部と前記第２の受電部との間に、前記バリスタと並列に接続され、前記第１及び第２の受電部間を開閉する開閉器と、
前記第１の受電部から前記バリスタ及び前記開閉器へ向かう第１の電流経路に設けられ、前記第１の電流経路に予め定められた電流量以上の電流が流れた場合、前記第１の電流経路を遮断する第１の給電遮断器と、
前記バリスタの端子間の電圧を検出する電圧計と、
前記電圧計で検出された前記電圧が、前記バリスタが急激に抵抗値を低くする異常な状態にあるときの前記バリスタの端子間の電圧を超えたとき、前記開閉器を閉じさせる開閉制御部とを備え、
前記第１の給電遮断器は、前記遮断の解除を要求する解除指示を受け付ける第１の受付部を備え、前記第１の受付部によって前記解除指示が受け付けられたとき、前記第１の電流経路を導通させる電源回路。
【請求項２】
前記第２の受電部から前記バリスタ及び前記開閉器へ向かう第２の電流経路に設けられ、前記第２の電流経路に予め定められた電流量以上の電流が流れた場合、前記第２の電流経路を遮断する第２の給電遮断器をさらに備え、
前記第２の給電遮断器は、前記遮断の解除を要求する解除指示を受け付ける第２の受付部を備え、前記第２の受付部によって前記解除指示が受け付けられたとき、前記第２の電流経路を導通させる請求項１に記載の電源回路。
【請求項３】
請求項１又は２に記載の電源回路と、当該電源回路によって生成された電源電圧によって動作する画像形成部と、を備えた画像形成装置。
【発明の詳細な説明】
【技術分野】
【０００１】
本発明は、電源回路及び画像形成装置に関し、特に、外部から供給された電圧が過大となった場合に、負荷への給電を遮断する技術に関する。
【背景技術】
【０００２】
従来から、例えば下記特許文献１に記載のように、交流電源に接続された電源ライン上に、過大な電流が流れたときに溶断する一次ヒューズを接続するとともに、電源ライン間に、交流電源と並列にバリスタを接続した給電回路（電源回路）が知られている。当該電源回路では、バリスタの動作電圧（バリスタ電圧）以上の電圧がバリスタに印加された場合に、バリスタが電源ライン間を短絡することによって、電源ラインに過大な電流を流して一次ヒューズを溶断させ、負荷への給電を遮断する。
【先行技術文献】
【特許文献】
【０００３】
【特許文献１】特開２００４−８８８５７号公報
【発明の概要】
【発明が解決しようとする課題】
【０００４】
しかしながら、上記電源回路によって負荷への給電を遮断した後、給電を再開するためには、溶断された一次ヒューズを交換する手間が必要であった。また、バリスタ電圧以上の電圧がバリスタに印加され続けると、バリスタが破壊されることがある。このため、電源回路に供給される電圧の変動が大きい地域では、さらにバリスタを交換する手間が生じる虞もあった。
【０００５】
本発明は、このような事情に鑑みてなされたものであり、外部から供給される電圧が過大となった場合に、負荷への給電を遮断するとともに、効率よく給電を再開することができる電源回路及び画像形成装置を提供することを目的とする。
【課題を解決するための手段】
【０００６】
本発明に係る電源回路は、外部から供給された電圧に基づき電源電圧を生成する電源回路であって、前記電圧を受電する第１及び第２の受電部と、前記第１の受電部と前記第２の受電部との間に接続されたバリスタと、前記第１の受電部と前記第２の受電部との間に、前記バリスタと並列に接続され、前記第１及び第２の受電部間を開閉する開閉器と、前記第１の受電部から前記バリスタ及び前記開閉器へ向かう第１の電流経路に設けられ、前記第１の電流経路に予め定められた電流量以上の電流が流れた場合、前記第１の電流経路を遮断する第１の給電遮断器と、前記バリスタの端子間の電圧を検出する電圧計と、前記電圧計で検出された前記電圧が、前記バリスタが急激に抵抗値を低くする異常な状態にあるときの前記バリスタの端子間の電圧を超えたとき、前記開閉器を閉じさせる開閉制御部とを備え、前記第１の給電遮断器は、前記遮断の解除を要求する解除指示を受け付ける第１の受付部を備え、前記第１の受付部によって前記解除指示が受け付けられたとき、前記第１の電流経路を導通させる。
【０００７】
この構成によれば、外部から供給される電圧が過大になって、バリスタが急激に抵抗値を低くする異常な状態になり、電圧計によって検出されたバリスタの電圧が、バリスタが急激に抵抗値を低くする異常な状態にあるときのバリスタの端子間の電圧を超えたときに、開閉制御部によって開閉器が閉じられ、第１の受電部と第２の受電部との間が短絡される。これによって、第１の電流経路に大量の電流が流れるため、第１の給電遮断器によって第１の電流経路が遮断される。また、第１の受付部によって解除指示が受け付けられると、第１の電流経路が導通される。
【０００８】
つまり、外部から供給される電圧が過大になった場合に、第１の電流経路を遮断して負荷への給電を遮断することができるとともに、第１の受付部によって解除指示を受け付けることによって第１の電流経路を導通させ、バリスタや開閉器等の電源回路に備えられた回路素子を交換する手間をかけることなく、第１の電流経路を介した負荷への給電を効率よく再開することができる。
また、例えば試験運転等の実験値に基づいて、外部から供給される電圧が過大になって、バリスタが急激に抵抗値を低くする異常な状態になったときにおけるバリスタの端子間の電圧を、基準値として予め定めておくことができる。そして、開閉制御部は、電圧計で検出されたバリスタの端子間の電圧が当該予め定めた基準値を超えたときに、バリスタが異常な状態であるものとして、開閉器を閉じさせることができる。
【０００９】
また、前記第２の受電部から前記バリスタ及び前記開閉器へ向かう第２の電流経路に設けられ、前記第２の電流経路に予め定められた電流量以上の電流が流れた場合、前記第２の電流経路を遮断する第２の給電遮断器をさらに備え、前記第２の給電遮断器は、前記遮断の解除を要求する解除指示を受け付ける第２の受付部を備え、前記第２の受付部によって前記解除指示が受け付けられたとき、前記第２の電流経路を導通させることが好ましい。
【００１０】
例えば、ヨーロッパや日本等のように、電源コンセントへの差し込み方によって、交流電源のホット（活動）側とニュートラル（中性）側とが切り替わる地域では、外部の交流電源から供給される電圧が過大になって、バリスタが第１の受電部と第２の受電部との間を短絡した場合に、第１の電流経路または第２の電流経路の何れにも大量の電流が流れる可能性がある。
【００１１】
この構成によれば、バリスタが第１の受電部と第２の受電部との間を短絡した場合に、第１の電流経路または第２の電流経路の何れに大量の電流が流れたとしても、第１の給電遮断器または第２の給電遮断器によって、第１の電流経路または第２の電流経路を遮断することができる。また、第１の受付部または第２の受付部によって解除指示を受け付けることによって、遮断した第１の電流経路または第２の電流経路を導通することができる。
【００１６】
また、本発明に係る画像形成装置は、上記何れか一の構成の電源回路と、当該電源回路によって生成された電源電圧によって動作する画像形成部と、を備える。
【発明の効果】
【００１７】
本発明によれば、外部から供給される電圧が過大となった場合に、負荷への給電を遮断するとともに、効率よく給電を再開することができる電源回路及び画像形成装置を提供することが可能となる。
【図面の簡単な説明】
【００１８】
【図１】本発明に係る電源回路を備えた画像形成装置の一例としての複合機の構成の一例を示す構成図。
【図２】複合機の電気的構成の一例を示すブロック図。
【図３】電源回路の一例を示す回路図。
【発明を実施するための形態】
【００１９】
以下、本発明に係る電源回路を備えた画像形成装置の一例として、例えば、コピー、プリンタ、スキャナ及びファクシミリの機能を有する複合機を図面に基づいて説明する。
【００２０】
図１に示すように、複合機１は、本体部１００、原稿読取部２００、原稿給送部３００、操作部４００、及び用紙後処理部５００を備えている。
【００２１】
原稿給送部３００は、原稿載置部３０１、給紙ローラ３０３、原稿搬送部３０５及び原稿排出部３０７を備えている。
【００２２】
給紙ローラ３０３は、原稿載置部３０１にセットされた原稿を１枚ずつ繰り出す。原稿搬送部３０５は、繰り出された原稿を原稿読取部２００に搬送する。原稿は、原稿読取部２００で読み取られて原稿排出部３０７に排出される。
【００２３】
原稿読取部２００は、ＣＣＤ（Charge Coupled Device）センサ及び露光ランプ等を搭載したキャリッジ２０１、ガラス等の透明部材により構成された原稿台２０３、及び原稿読取スリット２０５を備えている。
【００２４】
原稿台２０３に載置された原稿を読み取る場合、キャリッジ２０１を原稿台２０３の長手方向に移動させながらＣＣＤセンサにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサにより読み取る。ＣＣＤセンサは読み取った原稿を画像データとして出力する。
【００２５】
本体部１００は、用紙貯留部１０１、画像形成部１０３及び定着部１０５を備えている。
【００２６】
用紙貯留部１０１は、本体部１００の最下部に配置され、用紙の束を貯留する用紙トレイ１０７を備えている。用紙トレイ１０７に貯留された用紙の束において、最上位の用紙がピックアップローラ１０９の駆動により、用紙搬送部１１１へ向けて繰り出される。用紙は、用紙搬送部１１１を通って、画像形成部１０３へ搬送される。
【００２７】
画像形成部１０３は、搬送されてきた用紙にトナー画像を形成する。画像形成部１０３は、感光体ドラム１１３、露光部１１５、現像部１１７及び転写部１１９を備えている。
【００２８】
露光部１１５は、画像データ（原稿読取部２００から出力された画像データ、パソコンから送信された画像データ、ファクシミリ受信の画像データ等）に対応する光を生成し、一様に帯電された感光体ドラム１１３の周面に照射する。これにより、感光体ドラム１１３の周面には画像データに対応する静電潜像が形成される。
【００２９】
この状態で感光体ドラム１１３の周面に現像部１１７からトナーを供給することにより、感光体ドラム１１３の周面には、画像データに対応するトナー画像が形成される。このトナー画像は、転写部１１９によって上記の用紙貯留部１０１から搬送されてきた用紙に転写される。
【００３０】
トナー画像が転写された用紙は、定着部１０５に送られる。定着部１０５において、トナー画像と用紙に熱と圧力が加えられて、トナー画像を用紙に定着させる。これにより、用紙への画像の印刷が完了する。この印刷済用紙に対して後処理がされる場合、印刷済用紙は本体部１００の用紙排出口１２１から用紙後処理部５００へ送られる。これに対して後処理がされない場合、印刷済用紙は排紙トレイ１２３に排紙される。
【００３１】
用紙後処理部５００では、印刷済用紙に対して、ソート、ステープル、パンチ、中綴じ等の後処理がされる。用紙後処理部５００は、用紙搬入口５０１、用紙搬送部５０３、用紙搬出口５０５及びスタックトレイ５０７等を備える。用紙搬送部５０３は用紙排出口１２１から用紙搬入口５０１に搬入された印刷済用紙を順次搬送し、後処理がされた印刷済用紙を用紙搬出口５０５からスタックトレイ５０７へ搬出する。スタックトレイ５０７は用紙搬出口５０５から搬出された上記用紙の集積枚数に応じて矢印方向に上下動可能な構成を有する。
【００３２】
操作部４００は、操作キー部４０１と表示部４０３を備える。表示部４０３はタッチパネル機能を有しており、ソフトキーを含む画面が表示される。ユーザは画面を見ながらソフトキーを操作することによって、コピー等の機能の実行に必要な設定等をする。
【００３３】
操作キー部４０１は、ハードキーからなる操作キーを備えており、具体的にはヘルプキー４０５、スタートキー４０７、テンキー４０９及び機能切換キー４１１等を備える。
【００３４】
ヘルプキー４０５は、ヘルプ画面を表示部４０３に表示させるキーである。ヘルプ画面とはスキャナ、ファクシミリ、プリンタ、コピー等の機能に関する操作方法が表示された画面である。スタートキー４０７は、コピー、ファクシミリ送信等の動作を開始させるキーである。テンキー４０９は、コピー部数、ファクシミリ番号等の数字を入力するキーである。機能切換キー４１１は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００３５】
続いて、複合機１の電気的構成について説明する。図２に示すように、複合機１は、本体部１００、原稿読取部２００、原稿給送部３００、操作部４００、用紙後処理部５００、ＵＳＢメモリー等の記憶媒体６を複合機１に接続するための外部インターフェイス（外部Ｉ／Ｆ）６００、通信部７００、及び制御部８００が、バスによって接続された構成を有する。
【００３６】
尚、制御部８００は、ＣＰＵ（Central Processing Unit）や、ＲＯＭ（Read Only Memory）、及びＲＡＭ等のメモリーを備えてなるマイクロコンピュータや、専用のハードウェア回路等を内蔵し、装置全体の動作を制御する。
【００３７】
また、複合機１は、外部の交流電源から供給される交流電圧を各部１００〜８００の動作に用いる電源電圧に変換し、各部１００〜８００に供給する電源回路２を備えている。
【００３８】
具体的には、例えば、図３に示すように、電源回路２は、過電圧保護回路２０、ＡＣＤＣコンバータ３０、及びＤＣＤＣコンバータ４０を備えている。
【００３９】
過電圧保護回路２０は、外部の交流電源ＡＣから供給される電圧が過大になった場合に、負荷としての各部１００〜８００が破壊されることを保護するために、負荷への電流経路を遮断する。ＡＣＤＣコンバータ３０は、外部の交流電源ＡＣから供給される交流電圧を直流電圧に変換する。ＤＣＤＣコンバータ４０は、ＡＣＤＣコンバータ３０によって変換された直流電圧を、各部１００〜８００の動作に必要な所定レベルの電源電圧に変圧する。
【００４０】
以下、過電圧保護回路２０の構成について詳述する。過電圧保護回路２０は、第１の受電部２１、第２の受電部２２、第１の給電遮断器２３、第２の給電遮断器２４、開閉器２５、バリスタ２６、及び開閉制御部２７を備えている。
【００４１】
第１の受電部２１及び第２の受電部２２は、外部の交流電源ＡＣから供給される電圧を受電するための入力端子である。尚、第１の受電部２１及び第２の受電部２２は、コネクタや、ＩＣの信号ピン、または、配線パターンであってもよい。
【００４２】
第１の給電遮断器２３は、第１の受電部２１からバリスタ２６及び開閉器２５へ向かう第１の電流経路ＣＰ１に設けられ、第１の電流経路ＣＰ１に予め定められた電流量以上の電流が流れた場合に、第１の電流経路ＣＰ１を遮断する。同様に、第２の給電遮断器２４は、第２の受電部２２からバリスタ２６及び開閉器２５へ向かう第２の電流経路ＣＰ２に設けられ、第２の電流経路ＣＰ２に予め定められた電流量以上の電流が流れた場合に、第２の電流経路ＣＰ２を遮断する。
【００４３】
具体的には、第１の給電遮断器２３及び第２の給電遮断器２４は、例えば、サーキットプロテクタによって構成されている。当該サーキットプロテクタは、例えば、配設される電流経路上に予め定められた電流量以上の電流が流れた場合に、内部に設けられた熱応動板が加熱されることによって湾曲し、当該熱応動板に設けられた可動接点が電流経路上に設けられた固定接点から離れることによって、電流経路を遮断する。第１の給電遮断器２３及び第２の給電遮断器２４は、例えば、ホシデン（株）製ＴＢＣ５０００シリーズやＴＢＣ６０００シリーズを用いることができる。
【００４４】
さらに、当該サーキットプロテクタには、押下可能なボタン機構が設けられている。当該ボタン機構は、ボタンが押下される際の力を用いて、熱応動板に設けられた可動接点を電流経路上の固定接点に当接する状態に戻し、これによって、電流経路を導通するように構成されている。つまり、当該ボタン機構によって、本発明に係る第１の受付部及び第２の受付部の一例が構成されている。
【００４５】
尚、第１の給電遮断器２３及び第２の給電遮断器２４は、これに限らず、例えば、電流経路上に過大な電流が流れた場合に、電流経路に生じる磁力を利用して可動接点と固定接点とを離れさせることによって、電流経路を遮断するサーキットプロテクタによって構成してもよい。ただし、当該サーキットプロテクタにも、可動接点と固定接点とを当接する状態に戻すための機構が設けられている必要がある。
【００４６】
開閉器２５は、第１の受電部２１と第２の受電部２２との間に、バリスタ２６と並列に接続され、第１の受電部２１と第２の受電部２２との間を開閉する。
【００４７】
具体的には、開閉器２５は、例えば、トライアックによって構成されている。当該トライアックは、ゲート端子Ｇに電流が入力されていないときは、第１の受電部２１と第２の受電部２２との間を開放し（開き）、ゲート端子Ｇに電流が入力されたときに、第１の受電部２１と第２の受電部２２との間を短絡させる（閉じる）。尚、図３に示すコンデンサＣ及び抵抗素子Ｒは、当該トライアックのゲート端子Ｇの保護素子である。
【００４８】
バリスタ２６は、第１の受電部２１と第２の受電部２２との間に接続されている。バリスタ２６は、交流電源ＡＣから供給される電圧が過大になることによって、バリスタ２６に当該バリスタ２６のバリスタ電圧以上の電圧が印加されると、抵抗値を急激に低下して、第１の受電部２１と第２の受電部２２との間を短絡する異常な状態になる。
【００４９】
開閉制御部２７は、開閉器２５を開閉する制御を行う。具体的には、開閉制御部２７は、物理量検出部２８を備えて構成されている。
【００５０】
物理量検出部２８は、バリスタ２６の異常に関する物理量を検出する。具体的には、物理量検出部２８は、例えば、サーミスタによって構成されている。当該サーミスタは、近接するバリスタ２６の温度の上昇に合わせて温度を上昇させるとともに、抵抗値を低下させることによって、その抵抗値の大きさによってバリスタ２６の温度を検出するように構成されている。
【００５１】
当該サーミスタは、試験運転等の実験値に基づいて予め定められた、異常な状態にあるときのバリスタ２６の温度まで、当該サーミスタの温度が上昇することによって、当該温度に応じたレベルにまで抵抗値を低下する。当該サーミスタは、当該温度に応じたレベルにまで抵抗値を低下したときに、開閉器２５のゲート端子Ｇに向けて電流が流れるように、その抵抗値が構成されている。言い換えれば、当該サーミスタの温度が、上記の異常な状態にあるときのバリスタ２６の温度未満である場合は、当該サーミスタは、異常な状態にあるバリスタ２６の温度に応じたレベルにまで抵抗値を低下させていないので、開閉器２５のゲート端子Ｇに向けて電流を流さないように構成されている。
【００５２】
つまり、開閉制御部２７は、物理量検出部２８によって検出されるバリスタ２６の温度が、予め定められた基準値としてのバリスタ２６が異常な状態にあるときの温度を超えたときに、ゲート端子Ｇに向けて出力される電流によって、開閉器２５を閉じるように構成されている。一方、開閉制御部２７は、物理量検出部２８によって検出されるバリスタ２６の温度が、予め定められた基準値としてのバリスタ２６が異常な状態にあるときの温度を超えないときは、ゲート端子Ｇに向けて電流を流さないことによって、開閉器２５を開くように構成されている。
【００５３】
上記実施形態の構成によれば、外部の交流電源ＡＣから供給される電圧が過大になって、バリスタ２６が急激に抵抗値を低くする異常な状態になり、物理量検出部２８によって検出されたバリスタ２６の温度が予め定められた基準値とする温度を超えたときに、開閉制御部２７によって開閉器２５が閉じられ、第１の受電部２１と第２の受電部２２との間が短絡される。
【００５４】
これによって、第１の電流経路ＣＰ１に大量の電流が流れた場合は、第１の給電遮断器２３によって第１の電流経路ＣＰ１が遮断される。また、第１の電流経路ＣＰ１が遮断された後、第１の給電遮断器２３に備えられた第１の受付部としてのボタン機構が押下されることによって、第１の電流経路ＣＰ１が導通される。
【００５５】
つまり、外部から供給される電圧が過大になった場合に、第１の電流経路ＣＰ１を遮断して負荷１００〜８００への給電を遮断することができるとともに、第１の給電遮断器２３に備えられた第１の受付部としてのボタン機構が押下する（解除指示を受け付ける）ことによって第１の電流経路ＣＰ１を導通させ、バリスタ２６や開閉器２５等の電源回路２に備えられた回路素子を交換する手間をかけることなく、第１の電流経路ＣＰ１を介した負荷１００〜８００への給電を効率よく再開することができる。
【００５６】
また、例えば、ヨーロッパや日本等のように、電源コンセントへの差し込み方によって、交流電源ＡＣのホット（活動）側とニュートラル（中性）側とが切り替わる地域では、外部の交流電源ＡＣから供給される電圧が過大になって、バリスタ２６が第１の受電部２１と第２の受電部２２との間を短絡した場合に、第１の電流経路ＣＰ１または第２の電流経路ＣＰ２の何れにも大量の電流が流れる可能性がある。
【００５７】
しかし、上記実施形態の構成によれば、バリスタ２６が第１の受電部２１と第２の受電部２２との間を短絡した場合に、第１の電流経路ＣＰ１または第２の電流経路ＣＰ２の何れに大量の電流が流れたとしても、第１の給電遮断器２３または第２の給電遮断器２４によって、第１の電流経路ＣＰ１または第２の電流経路ＣＰ２を遮断することができる。尚、第２の電流経路ＣＰ２が遮断された後は、第２の給電遮断器２４に備えられた第２の受付部としてのボタン機構を押下することによって、第２の電流経路ＣＰ２を導通することができる。
【００５８】
尚、本発明は上記実施形態の構成に限られず種々の変形が可能である。
【００５９】
例えば、上記実施形態では、物理量検出部２８がサーミスタによって構成されていたが、これに代えて、バリスタ２６の端子間の電圧を検出する電圧計によって、物理量検出部２８を構成してもよい。
【００６０】
これに合わせて、開閉制御部２７を、当該電圧計で検出されたバリスタ２６の端子間の電圧が、試験運転等の実験値に基づいて予め定められた異常な状態にあるときのバリスタ２６の端子間の電圧（バリスタ電圧）を超えたときに、開閉器２５のゲート端子Ｇに向けて電流を流すように構成し、また、当該電圧計で検出されたバリスタ２６の端子間の電圧が、予め定められた異常な状態にあるときのバリスタ２６の端子間の電圧（バリスタ電圧）を超えないときは、開閉器２５のゲート端子Ｇに向けて電流を流さないように構成してもよい。
【００６１】
また、電源コンセントへの差し込み方が１つに決まっており、交流電源ＡＣのホット（活動）側とニュートラル（中性）側とが切り替わらない地域においては、外部の交流電源ＡＣから供給される電圧が過大になって、バリスタ２６が第１の受電部２１と第２の受電部２２との間を短絡した場合に、第１の電流経路ＣＰ１及び第２の電流経路ＣＰ２の何れか決まった１つの電流経路に、大量の電流が流れる可能性が高いと考えられる。このため、当該第１の電流経路ＣＰ１または第２の電流経路ＣＰ２の何れか決まった１つの電流経路にのみ、当該電流経路に対応する第１の給電遮断器２３または第２の給電遮断器２４を備えるようにして、過電圧保護回路２０を簡素化して構成してもよい。
【００６２】
また、上記実施形態では、本発明に係る電源回路を複合機１に適用する例について説明したが、これに限らず、本発明に係る電源回路は、カラー画像形成用のカラープリンタや、スキャナ装置、ファクシミリ装置、プリンタ装置及びコピー装置等の画像形成装置に適用してもよい。
【００６３】
また、上記実施形態において図１乃至図３に示した構成及び設定は単なる一例に過ぎず、本発明を当該実施形態に限定する趣旨ではない。
【符号の説明】
【００６４】
１      複合機
２      電源回路
２０    過電圧保護回路
２１    第１の受電部
２２    第２の受電部
２３    第１の給電遮断器
２４    第２の給電遮断器
２５    開閉器
２６    バリスタ
２７    開閉制御部
２８    物理量検出部
１０３  画像形成部
ＣＰ１，ＣＰ２      電流経路
【図１】
0005618965.tif 000002
【図２】
0005618965.tif 000003
【図３】
0005618965.tif 000004